【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
原稿台上の原稿を画像データとして読み取る第一の画像データ入力手段と、通信媒体を介して他の情報処理装置から画像データを入力する第二の画像データ入力手段と、前記第一および第二の画像データ入力手段により入力される画像データを保存する保存手段と、前記第一および第二の画像データ入力手段による画像データ、および前記保存した画像データを用紙に印刷出力する印刷手段と、前記保存された画像データの出力設定可能な操作部と、を備え、前記操作部の操作により、出力設定の可否を検討できるように、所定枚数または所定部数をテスト出力し、その後本出力を行うテスト出力機能を有する画像形成装置において、
前記操作部の出力設定中、および、前記テスト出力に始まり、本出力が完了するまで、前記第二の画像データ入力手段による印刷出力処理の起動を禁止するように制御する制御手段を備えたことを特徴とする画像形成装置。
【請求項２】
請求項１に記載の画像形成装置において、前記制御手段は、前記操作部により設定されたテスト出力の出力処理後、前記操作部に対する操作が所定時間内に継続するのであれば、継続して前記第二の画像データ入力手段による印刷出力処理の起動を禁止し、所定時間内に継続しないのであれば、前記第二の画像データ入力手段による印刷出力処理の起動を許可するように制御することを特徴とする画像形成装置。
【請求項３】
請求項１に記載の画像形成装置において、前記制御手段は、前記操作部による前記画像出力設定が開始されてから、所定時間内に画像出力設定操作が継続しない場合、前記画像出力を完了していなくとも、前記第二の画像データ入力手段による印刷処理の起動を許可することを特徴とする画像形成装置。
【請求項４】
請求項１に記載の画像形成装置において、前記制御手段は、前記操作部による前記画像出力設定が第一の所定時間内に操作継続されず、前記第二の画像データ入力手段による印刷処理が許可され、更に第二の所定時間内に操作が継続されなければ、前記操作部の設定操作表示をデフォルト表示に戻すように制御することを特徴とする画像形成装置。
【請求項５】
請求項１に記載の画像形成装置において、前記操作部による前記画像出力設定が開始されてから、前記操作部による本出力が完了するまでの間に、前記第二の画像データ入力手段による印刷処理が発生した場合に、前記操作部の操作者に対し、前記印刷処理の割込み許可の有無を問い合わせる問い合わせ手段を備えたことを特徴とする画像形成装置。
【請求項６】
通信媒体を介して外部の情報処理装置から画像情報を入力する画像データ入力手段と、
操作者による指示に応じて画像データを読み出せるよう印刷対象のジョブの画像データを保存する保存手段と、
前記画像データ入力手段による画像データおよび前記保存手段に保存された画像データを用紙に印刷出力する印刷手段と、
前記保存手段に保存されたジョブの画像データを本印刷前に所定枚数または所定部数をテスト印刷し、その後本出力を行うテスト印刷指示を含む印刷設定を行う操作部と、
前記テスト印刷開始から本印刷が完了するまで、前記テスト印刷を行ったジョブ以外の前記画像データ入力手段による印刷出力処理の起動を禁止するよう制御する制御手段と、
を備えたことを特徴とする画像形成装置。
【請求項７】
請求項６に記載の画像形成装置において、前記制御手段は、前記操作部により指示されたテスト印刷の印刷後、前記操作部に対する操作が所定時間内に継続するのであれば、継続して前記画像データ入力手段による印刷出力処理の起動を禁止し、所定時間内に継続しないのであれば、前記画像データ入力手段による印刷出力処理の起動を許可するよう制御することを特徴とする画像形成装置。
【請求項８】
請求項６に記載の画像形成装置において、前記制御手段は、前記操作部による印刷設定が開始されてから、所定時間内に印刷設定操作が継続しない場合、前記画像出力を完了していなくとも、前記画像データ入力手段による印刷処理の起動を許可するよう制御することを特徴とする画像形成装置。
【請求項９】
請求項６に記載の画像形成装置において、前記制御手段は、前記操作部による前記印刷設定が第一の所定時間内に操作継続されず、前記画像データ入力手段による印刷処理が許可され、更に第二の所定時間内に操作が継続されなければ、前記操作部の設定操作表示をデフォルト表示に戻すように制御することを特徴とする画像形成装置。
【請求項１０】
請求項６に記載の画像形成装置において、前記操作部による前記印刷設定が開始されてから、前記印刷手段による本印刷が完了するまでの間に、前記第二の画像データ入力手段による印刷処理が発生した場合に、前記操作部の操作者に対し、前記印刷処理の割込み許可の有無を問い合わせる問い合わせ手段を備えたことを特徴とする画像形成装置。
【請求項１１】
プリントジョブを入力するジョブ入力手段と、
入力されたプリントジョブに基づいて記録シートにプリントを行う像形成手段と、
前記プリントジョブに設定された複数部数のプリントのうち所定部数をテスト的にプリントし、その後本プリントする指示を入力するテストプリント指示手段と、
前記プリントジョブのテストプリントの開始後から前記プリントジョブの本プリントが終了するまでの間、前記プリントジョブとは異なるプリントジョブの実行を禁止する制御手段と、
を有することを特徴とする画像形成装置。
【請求項１２】
操作部での操作に従ってプリントジョブを実行する画像形成装置の制御方法において、
プリントジョブにかかる操作部の操作を受け付けるステップＡと、
前記ステップＡで受け付けた操作が、プリント出力が予想される操作であるかどうかの判定をするステップＢと、
前記ステップＢでプリント出力が予想される操作であると判定された場合に前記ジョブとは異なるプリントジョブの実行を禁止するステップＣと、
を備えたことを特徴とする画像形成装置の制御方法。
【手続補正２】
【補正対象書類名】明細書
【補正対象項目名】０００５
【補正方法】変更
【補正の内容】
【０００５】
前記課題を解決するため、本発明では、画像形成装置を次の（１）ないし（１１）のとおりに構成し、画像形成装置の制御方法を次の（１２）のとおりに構成する。
【手続補正３】
【補正対象書類名】明細書
【補正対象項目名】０００６
【補正方法】変更
【補正の内容】
【０００６】
（１）原稿台上の原稿を画像データとして読み取る第一の画像データ入力手段と、通信媒体を介して他の情報処理装置から画像データを入力する第二の画像データ入力手段と、前記第一および第二の画像データ入力手段により入力される画像データを保存する保存手段と、前記第一および第二の画像データ入力手段による画像データ、および前記保存した画像データを用紙に印刷出力する印刷手段と、前記保存された画像データの出力設定可能な操作部と、を備え、前記操作部の操作により、出力設定の可否を検討できるように、所定枚数または所定部数をテスト出力し、その後本出力を行うテスト出力機能を有する画像形成装置において、
前記操作部の出力設定中、および、前記テスト出力に始まり、本出力が完了するまで、前記第二の画像データ入力手段による印刷出力処理の起動を禁止するように制御する制御手段を備えた画像形成装置。
【手続補正４】
【補正対象書類名】明細書
【補正対象項目名】００１１
【補正方法】変更
【補正の内容】
【００１１】
（６）通信媒体を介して外部の情報処理装置から画像情報を入力する画像データ入力手段と、
操作者による指示に応じて画像データを読み出せるよう印刷対象のジョブの画像データを保存する保存手段と、
前記画像データ入力手段による画像データおよび前記保存手段に保存された画像データを用紙に印刷出力する印刷手段と、
前記保存手段に保存されたジョブの画像データを本印刷前に所定枚数または所定部数をテスト印刷し、その後本出力を行うテスト印刷指示を含む印刷設定を行う操作部と、
前記テスト印刷開始から本印刷が完了するまで、前記テスト印刷を行ったジョブ以外の前記画像データ入力手段による印刷出力処理の起動を禁止するよう制御する制御手段と、
を備えた画像形成装置。
【手続補正５】
【補正対象書類名】明細書
【補正対象項目名】００１６
【補正方法】変更
【補正の内容】
【００１６】
（１１）プリントジョブを入力するジョブ入力手段と、
入力されたプリントジョブに基づいて記録シートにプリントを行う像形成手段と、
前記プリントジョブに設定された複数部数のプリントのうち所定部数をテスト的にプリントし、その後本プリントする指示を入力するテストプリント指示手段と、
前記プリントジョブのテストプリントの開始後から前記プリントジョブの本プリントが終了するまでの間、前記プリントジョブとは異なるプリントジョブの実行を禁止する制御手段と、
を有する画像形成装置。
（１２）操作部での操作に従ってプリントジョブを実行する画像形成装置の制御方法において、
プリントジョブにかかる操作部の操作を受け付けるステップＡと、
前記ステップＡで受け付けた操作が、プリント出力が予想される操作であるかどうかの判定をするステップＢと、
前記ステップＢでプリント出力が予想される操作であると判定された場合に前記ジョブとは異なるプリントジョブの実行を禁止するステップＣと、
を備えた画像形成装置の制御方法。